(57)【特許請求の範囲】
【請求項１】
無線通信システムのネットワークノードからシステム情報を受信するための、無線デバイスによって実施される方法であって、前記システム情報が、少なくとも１つの同期信号（ＳＳ）ブロックを含むＳＳバーストセットのＳＳブロック中で受信され、前記システム情報が、受信されているのが前記ＳＳバーストセットのどのＳＳブロックかを示す時間インデックスを提供する情報と多重化され、前記方法は、
−  前記時間インデックスを提供する前記情報を受信すること（４１０）と、
−  前記システム情報を受信すること（４３０）であって、前記時間インデックスを提供する前記情報に基づいて生成された（４２０）スクランブリングシーケンスを使用して前記システム情報をデスクランブルすることを含む、前記システム情報を受信すること（４３０）と、
−  前記受信されたシステム情報に関係する誤り検出コードに基づいて、前記時間インデックスを提供する前記情報の正確さを決定すること（４４０）と
を含む、方法。
【請求項２】
前記誤り検出コードが、前記受信されたシステム情報に対応する情報ビットに対する巡回冗長検査（ＣＲＣ）アタッチメントであり、前記時間インデックスを提供する前記情報の前記正確さを決定すること（４４０）は、
−  前記ＣＲＣアタッチメントに基づいて、前記受信されたシステム情報のＣＲＣを実施することと、
−  前記実施されたＣＲＣが、誤って受信されたシステム情報を示すとき、前記時間インデックスを提供する前記情報が不正確であると決定することと、
−  前記実施されたＣＲＣが、正しく受信されたシステム情報を示すとき、前記時間インデックスを提供する前記情報が正確であると決定することと
を含む、請求項１に記載の方法。
【請求項３】
−  前記時間インデックスを提供する前記情報の前記決定された正確さに基づいて、どのように初期アクセスプロシージャを実施すべきかを決定すること（４５０）
をさらに含む、請求項１または２に記載の方法。
【請求項４】
どのように初期アクセスプロシージャを実施すべきかを決定すること（４５０）が、
−  前記時間インデックスを提供する前記情報が正確であると決定されたとき、前記受信されたシステム情報に基づいて前記初期アクセスプロシージャを完了することと、
−  前記時間インデックスを提供する前記情報が不正確であると決定されたとき、前記初期アクセスプロシージャを完了する前に、システム情報および時間インデックスの受信のための別のＳＳブロックを検出することと
を含む、請求項３に記載の方法。
【請求項５】
前記時間インデックスを提供する前記情報が、関係するいかなる誤り検出コードもなしに受信される、請求項１から４のいずれか一項に記載の方法。
【請求項６】
前記スクランブリングシーケンスを生成すること（４２０）が、前記ＳＳブロックの開始時に前記スクランブリングシーケンスを初期化することを含む、請求項１から５のいずれか一項に記載の方法。
【請求項７】
前記時間インデックスを提供する前記情報を使用して、どこに前記ＳＳバーストセットの境界があるか、またはどこで前記ＳＳバーストセットが開始するかを決定することをさらに含む、請求項１から６のいずれか一項に記載の方法。
【請求項８】
前記システム情報が、前記時間インデックスによって示された前記ＳＳバーストセットの境界に基づいて受信される、請求項１から７のいずれか一項に記載の方法。
【請求項９】
少なくとも１つの同期信号（ＳＳ）ブロックを含むＳＳバーストセットのＳＳブロック中でシステム情報を無線デバイスに送信するための、無線通信ネットワークのネットワークノードによって実施される方法であって、前記システム情報が、送信されているのが前記ＳＳバーストセットのどのＳＳブロックかを示す時間インデックスを提供する情報と多重化され、前記方法は、
−  前記時間インデックスを提供する前記情報に基づいて生成された（３１０）スクランブリングシーケンスを使用して前記システム情報をスクランブルすること（３２０）と、
−  前記無線デバイスに、前記ＳＳブロックの前記時間インデックスを提供する前記情報と多重化された前記スクランブルされたシステム情報を送信すること（３３０）であって、誤り検出コードが前記システム情報に関係する、前記スクランブルされたシステム情報を送信すること（３３０）と
を含む、方法。
【請求項１０】
前記システム情報をスクランブルすること（３２０）が、前記システム情報の符号化ビットをスクランブルすることを含む、請求項９に記載の方法。
【請求項１１】
前記誤り検出コードが、前記システム情報に対応する情報ビットに対する巡回冗長検査（ＣＲＣ）アタッチメントである、請求項９または１０に記載の方法。
【請求項１２】
前記時間インデックスを提供する前記情報が、関係するいかなる誤り検出コードもなしに送信される、請求項９から１１のいずれか一項に記載の方法。
【請求項１３】
前記スクランブリングシーケンスを生成すること（３１０）が、前記ＳＳブロックの開始時に前記スクランブリングシーケンスを初期化することを含む、請求項９から１２のいずれか一項に記載の方法。
【請求項１４】
無線通信システムのネットワークノードからシステム情報を受信することを行うように設定された無線デバイス（６００）であって、前記システム情報が、少なくとも１つの同期信号（ＳＳ）ブロックを含むＳＳバーストセットのＳＳブロック中で受信され、前記システム情報が、受信されているのが前記ＳＳバーストセットのどのＳＳブロックかを示す時間インデックスを提供する情報と多重化され、前記無線デバイスは、
−  前記時間インデックスを提供する前記情報を受信することと、
−  前記時間インデックスを提供する前記情報に基づいて生成されたスクランブリングシーケンスを使用して前記システム情報をデスクランブルすることによって前記システム情報を受信することと、
−  前記受信されたシステム情報に関係する誤り検出コードに基づいて、前記時間インデックスを提供する前記情報の正確さを決定することと
を行うようにさらに設定された、無線デバイス（６００）。
【請求項１５】
請求項２から８のいずれか一項に記載の方法を実施することを行うようにさらに設定された、請求項１４に記載の無線デバイス。
【請求項１６】
少なくとも１つの同期信号（ＳＳ）ブロックを含むＳＳバーストセットのＳＳブロック中でシステム情報を無線デバイスに送信することを行うように設定された、無線通信ネットワークのネットワークノード（５００）であって、前記システム情報が、送信されているのが前記ＳＳバーストセットのどのＳＳブロックかを示す時間インデックスを提供する情報と多重化され、前記ネットワークノードは、
−  前記時間インデックスを提供する前記情報に基づいて生成されたスクランブリングシーケンスを使用して前記システム情報をスクランブルすることと、
−  前記無線デバイスに、前記ＳＳブロックの前記時間インデックスを提供する前記情報と多重化された前記スクランブルされたシステム情報を送信することであって、誤り検出コードが前記システム情報に関係する、前記スクランブルされたシステム情報を送信することと
を行うようにさらに設定された、ネットワークノード（５００）。
【請求項１７】
請求項１０から１３のいずれか一項に記載の方法を実施することを行うようにさらに設定された、請求項１６に記載のネットワークノード。
【請求項１８】
無線通信システムのネットワークノードからシステム情報を受信することを行うように設定された無線デバイス（６００）であって、前記システム情報が、少なくとも１つの同期信号（ＳＳ）ブロックを含むＳＳバーストセットのＳＳブロック中で受信され、前記システム情報が、受信されているのが前記ＳＳバーストセットのどのＳＳブロックかを示す時間インデックスを提供する情報と多重化され、前記無線デバイスが、処理回路要素（６１０）とメモリ（６３０）とを備え、前記メモリが、前記処理回路要素によって実行可能な命令を含んでおり、それにより、前記無線デバイスは、
−  前記時間インデックスを提供する前記情報を受信することと、
−  前記時間インデックスを提供する前記情報に基づいて生成されたスクランブリングシーケンスを使用して前記システム情報をデスクランブルすることによって前記システム情報を受信することと、
−  前記受信されたシステム情報に関係する誤り検出コードに基づいて、前記時間インデックスを提供する前記情報の正確さを決定することと
を行うように設定された、無線デバイス（６００）。
【請求項１９】
前記メモリが、前記処理回路要素によって実行可能な命令を含んでおり、それにより、前記無線デバイスが、請求項２から８のいずれか一項に記載の方法を実施することを行うように設定された、請求項１８に記載の無線デバイス。
【請求項２０】
少なくとも１つの同期信号（ＳＳ）ブロックを含むＳＳバーストセットのＳＳブロック中でシステム情報を無線デバイスに送信することを行うように設定された、無線通信ネットワークのネットワークノード（５００）であって、前記システム情報が、送信されているのが前記ＳＳバーストセットのどのＳＳブロックかを示す時間インデックスを提供する情報と多重化され、前記ネットワークノードが、処理回路要素（５１０）とメモリ（５３０）とを備え、前記メモリが、前記処理回路要素によって実行可能な命令を備え、それにより、前記ネットワークノードは、
−  前記時間インデックスを提供する前記情報に基づいて生成されたスクランブリングシーケンスを使用して前記システム情報をスクランブルすることと、
−  前記無線デバイスに、前記ＳＳブロックの前記時間インデックスを提供する前記情報と多重化された前記スクランブルされたシステム情報を送信することであって、誤り検出コードが前記システム情報に関係する、前記スクランブルされたシステム情報を送信することと
を行うように設定された、ネットワークノード（５００）。
【請求項２１】
前記メモリが、前記処理回路要素によって実行可能な命令を含んでおり、それにより、前記ネットワークノードが、請求項１０から１３のいずれか一項に記載の方法を実施することを行うように設定された、請求項２０に記載のネットワークノード。
【発明の詳細な説明】
【技術分野】
【０００１】
本発明は、同期信号ブロック中でシステム情報を送信するための方法に関し、ならびに無線デバイス、ネットワークノード、コンピュータプログラム、およびコンピュータプログラムデバイスに関する。
【背景技術】
【０００２】
モバイル電気通信および無線技術の第５世代（５Ｇ）は、まだ完全には定義されておらず、第３世代パートナーシッププロジェクト（３ＧＰＰ）内のアドバンストドラフト段階にある。これは、５Ｇ新しい無線（ＮＲ）アクセス技術に関する作業を含む。５Ｇでは異なる用語が指定されるが、本開示では、ｌｏｎｇ  ｔｅｒｍ  ｅｖｏｌｕｔｉｏｎ（ＬＴＥ）専門用語が先見的な意味において使用され、等価な５Ｇエンティティまたは機能性を含む。５Ｇ  ＮＲアクセス技術の物理レイヤ態様に関するこれまでの合意の概略的な説明が、３ＧＰＰ技術報告書３８．８０２  ｖ１．２．０（２０１７−０２）中に含まれている。最終仕様は、とりわけ、将来の３ＧＰＰ  ＴＳ３８．２＊＊シリーズにおいて公開され得る。
【０００３】
図１は、ユーザ機器（ＵＥ）１が基地局（ＢＳ）２に無線で接続可能である無線通信ネットワークを概略的に示す。ＢＳ２は、コアネットワーク（ＣＮ）３に接続される。ＮＲアクセスネットワークでは、ＢＳはｇＮＢと呼ばれることがあり、ＬＴＥアクセスネットワークの場合の対応する専門用語はｅＮＢである。ＢＳ２は、セルと呼ばれる、ＢＳの地理的サービスエリア内に位置するＵＥ１をサーブする。
【０００４】
セルラーシステムにおける初期アクセスおよび同期
無線デバイス（またはＵＥ）が無線通信システムに最初にアクセスするとき、ＵＥはそのシステムに同期しなければならない。同期は、ＵＥが、システム情報（ＳＩ）のブロードキャストなどの様々な信号をネットワークがいつ送信するかを知るために必要とされる。ＵＥは、初期アクセス中に送信されるランダムアクセス信号などのアップリンク信号をＵＥがいつ送信するべきであるかを理解するためにも、システムに同期しなければならない。
【０００５】
無線通信システムは、時間を管理するために異なる時間単位を使用する。直交周波数分割多重（ＯＦＤＭ）を使用するシステムでは、ＯＦＤＭシンボルという用語が最小時間単位のために使用される。いくつかのシンボルがスロットを形成し得、いくつかのスロットがサブフレームを形成し得、いくつかのサブフレームが無線フレームを形成し得る。システム情報およびページング情報は、一般に時間スケールで分散され、無線フレームが、関連する時間単位である。多くのセルラーシステム規格では、無線フレームは１０ｍｓである。
【０００６】
ＬＴＥでは、１次同期信号（ＰＳＳ）と２次同期信号（ＳＳＳ）の２つの同期信号がある。初期アクセスを実施するために、ＵＥは、少なくともシンボル同期およびフレーム同期を取得しなければならない。シンボル同期を取得するために、ＵＥは、ＰＳＳに対応する特殊な同期シーケンスを探索する。ＰＳＳは、一般に、１シンボル長である。そのシーケンスを見つけることによって、ＵＥは、シンボルタイミングを確立することができる。ＵＥは、受信されたＰＳＳを、フレーム同期を決定するためにも使用し得る。それが可能であるためには、あらゆるＰＳＳが、フレーム開始に対して固定のタイミング関係で送信されなければならない。ＵＥがＰＳＳを見つけたとき、ＵＥはまた、現在のセルの識別子と、マスタ情報ブロック（ＭＩＢ）と呼ばれる極めて基本的なシステム情報とを読み取ることができる。したがって、ＰＳＳおよびＳＳＳは、同期を提供する機能性のほかに、物理レイヤセル識別情報（ＰＣＩ）をＵＥに示すために使用される。
【０００７】
ＮＲでは、初期同期を提供するためのＰＳＳおよびＳＳＳという概念が、再利用され、ＮＲ−ＰＳＳおよびＮＲ−ＳＳＳと呼ばれる。ＮＲ−ＰＳＳは、ＮＲセルに対する初期シンボル境界同期のために規定される。ＮＲ−ＳＳＳは、ＮＲセル識別情報（セルＩＤ）またはＮＲセルＩＤの少なくとも一部の検出のために規定される。
【０００８】
ＮＲでは、ＮＲ物理ブロードキャストチャネル（ＮＲ−ＰＢＣＨ）と呼ばれるブロードキャストチャネルが規定される。ＮＲ−ＰＢＣＨは、固定ペイロードサイズをもつ最小システム情報の一部と、キャリア周波数範囲に応じて仕様においてあらかじめ規定された周期とを搬送する非スケジュールブロードキャストチャネルである。ＮＲ−ＰＢＣＨコンテンツは、システムフレーム番号（ＳＦＮ）の少なくとも一部と巡回冗長検査（ＣＲＣ）とを含むものとする。以下は、システム情報に関してＮＲ−ＰＢＣＨが何を搬送し得るかに関するオプションのリストである。
・オプション１：ＮＲ−ＰＢＣＨは、ＵＥが残りの必須システム情報を搬送するチャネルを受信するのに必要な情報を含む、初期アクセスのための必須システム情報の一部を搬送する。
・オプション２：ＮＲ−ＰＢＣＨは、初期アクセスを可能にするオプション１の情報に加えて、ＵＥが初期ＵＬ送信を実施するのに必要な最小情報を搬送する。
・オプション３：ＮＲ−ＰＢＣＨは、初期アクセスのためのすべての必須システム情報を搬送する。
【０００９】
ＮＲでは、ビームフォーミングを使用してＮＲ−ＰＳＳを送信することが可能である。ＮＲ−ＰＳＳは、異なる時刻において異なるビーム中で送信される。ＮＲ−ＰＳＳを送信するためのビームは、セル中の任意の位置にあるＵＥが少なくとも１つのＮＲ−ＰＳＳ送信を受信することができるように、選定される。時々、ビームスイープという用語が、このプロシージャのために使用される。ＮＲ−ＰＳＳのビームスイーピングをサポートするために、各フレーム中で２つ以上のＮＲ−ＰＳＳが送信されなければならず、さもなければ、同期遅延が長すぎることになる。これは、異なるビーム中で送信されるＮＲ−ＰＳＳがフレーム開始に対する異なるオフセットを有することを意味し、ＵＥが、ＮＲ−ＰＳＳを受信する時間のみからフレーム開始を導出することができないことを意味する。いくらかの追加情報が必要とされる。
【００１０】
大規模多入力多出力（ＭＩＭＯ）を用いたビームスイーピングをサポートするために、いくつかの基本信号を含み、システム情報をブロードキャストするための、新しい概念のＳＳブロックが規定された。ＮＲ−ＰＳＳ、ＮＲ−ＳＳＳおよび／またはＮＲ−ＰＢＣＨが、ＳＳブロック内で送信され得る。ただし、ＳＳブロック内で他の信号を多重化することは妨げられない。ＵＥは、ＯＦＤＭシンボルインデックス、無線フレーム中のスロットインデックスおよびＳＳブロックからの無線フレーム番号を識別することが可能であるものとする。
【００１１】
ＮＲについての３ＧＰＰ合意では、同期信号およびチャネルのための基本構造が規定された。図２ｂは、同期信号送信のための基本構造の概略図を示す。１つまたは複数のＳＳブロックが、ＳＳバーストを構成する。さらに、１つまたは複数のＳＳバーストがＳＳバーストセットを構成し、ここで、ＳＳバーストセット内のＳＳバーストの数は有限である。図２ｂに示されている例では、１つのＳＳバーストセットを構成するＳＳブロックの数はＬ個であり、ここで、Ｌは正の整数である。物理レイヤ仕様の観点から、ＳＳバーストセットの少なくとも１つの周期がサポートされる。ＵＥの観点から、ＳＳバーストセット送信は周期的であり、ＵＥは、所与のＳＳブロックがＳＳバーストセット周期で繰り返されると仮定し得る。
【００１２】
３ＧＰＰは、ＳＳバーストセット中に最高６４個のＳＳブロックがあり得ることを決めた。ＳＳブロックセットのための最小周期は５ｍｓであり、無線フレームは１０ｍｓである。したがって、無線フレーム中のＳＳブロックの数は最高１２８個であり得る。
【発明の概要】
【００１３】
したがって、ＮＲ−ＰＳＳおよびＮＲ−ＳＳＳを含む同期信号はＳＳブロック中に含まれ、端末またはＵＥはＳＳブロックの正常な検出を介してダウンリンク同期を獲得することが予想される。上記のように、システム情報の一部がＮＲ−ＰＢＣＨ中で配信されることも考えられ、これもＳＳブロック中に含まれる。
【００１４】
時間領域中でＮＲ−ＰＳＳ、ＮＲ−ＳＳＳおよびＮＲ−ＰＢＣＨを多重化すること、すなわち、ＮＲ−ＰＳＳ、ＮＲ−ＳＳＳおよびＮＲ−ＰＢＣＨの、ＳＳブロック中での時分割多重化（ＴＤＭ）が同意された。
【００１５】
ＳＳブロック検出を通してＳＳバーストおよび／またはＳＳバーストセットの境界を示すために、時間インデックスがＳＳブロック検出から提供されるべきである。それを別の形で言い表すと、時間インデックスは、検出されたのがＳＳバーストまたはＳＳバーストセットのどのＳＳブロックかおよび／または検出されたのがＳＳバーストセットのどのＳＳバーストかを示すであろう。時間インデックスを提供する異なるやり方が、いくつかの３ＧＰＰ寄書で話し合われてきた。ＮＲ３次同期信号（ＮＲ−ＴＳＳ）と呼ばれる、ＳＳブロック中の余分のいわゆる同期信号は、話し合われた１つのソリューションである。ＮＲ−ＴＳＳは、ＳＳバーストまたはＳＳバーストセット中のＳＳブロックの時間インデックスを提供するであろう。図２ａは、周波数次元において、あるＳＳブロック帯域幅のＳＳブロック中で、および時間次元において、４つのＯＦＤＭシンボルのＳＳブロックサイズで多重化された、ＮＲ−ＰＢＣＨ、ＮＲ−ＴＳＳペイロードまたはＮＲ−ＴＳＳビットならびにＮＲ−ＰＳＳおよびＮＲ−ＳＳＳのシステム情報を含むＳＳブロックの例示的な一実施形態を概略的に示す。したがって、ＮＲ−ＴＳＳによって提供される時間インデックスは、どこにＳＳバーストまたはＳＳバーストセットの境界があるか、またはどこでＳＳバーストまたはＳＳバーストセットが開始するかを決定するために、ＵＥによって使用され得る。１つの例示的なシナリオでは、ＳＳバーストまたはＳＳバーストセット中に、最高１２８個のＳＳブロックがあり得る。この例示的なシナリオにおいて、ＳＳバーストまたはＳＳバーストの境界を示す時間インデックスを提供するためには、ＮＲ−ＴＳＳは少なくとも７つのビットを含まなければならない。
【００１６】
ＮＲ−ＴＳＳのビットの数はあまり大きくない、たとえば、１０個よりも少ないビットであることがあるので、ＮＲ−ＴＳＳのコードワード上のＣＲＣアタッチメントが極めて大きいオーバーヘッドをもたらすであろう。したがって、ＣＲＣがアタッチされないＮＲ−ＴＳＳを配信することが考慮された。しかしながら、これは、以下の問題を招く。
・ＵＥは、ＮＲ−ＴＳＳの検出が正しいか否かを知らない。
・ＮＲ−ＴＳＳが間違って検出された場合、ＳＳバーストまたはＳＳバーストセットの境界を示す時間インデックスが正しくないので、たとえばランダムアクセスを実施することが可能であるために必要とされる、ＳＳブロックのＮＲ−ＰＢＣＨ中で配信されるシステム情報が、正しく復号され得ない。
・これは、システム情報を受信するためのおよびランダムアクセスまたは初期アクセスプロシージャを実施するための遅延を生じるであろう。
【００１７】
したがって、目的は、上記で概説された問題のいくつかに対処し、初期アクセスプロシージャに関する不要なオーバーヘッドおよび遅延を回避するために、端末またはＵＥが、たとえばＮＲ−ＴＳＳから導出された時間インデックスの検出された値または受信された値が正しいか否かをできるだけ早く知ることを可能にするソリューションを提供することである。
【００１８】
第１の態様によれば、無線通信システムのネットワークノードからシステム情報を受信するための、無線デバイスによって実施される方法が提供される。システム情報は、少なくとも１つの同期信号（ＳＳ）ブロックを含むＳＳバーストセットのＳＳブロック中で受信される。システム情報は、受信されているのがＳＳバーストセットのどのＳＳブロックかを示す時間インデックスを提供する情報と多重化される。本方法は、時間インデックスを提供する情報を受信することを含む。本方法は、システム情報を受信することであって、時間インデックスを提供する情報に基づいて生成されたスクランブリングシーケンスを使用してシステム情報をデスクランブルすることを含む、システム情報を受信することをさらに含む。本方法は、受信されたシステム情報に関係する誤り検出コードに基づいて、時間インデックスを提供する情報の正確さを決定することをも含む。
【００１９】
第２の態様によれば、少なくとも１つの同期信号（ＳＳ）ブロックを含むＳＳバーストセットのＳＳブロック中でシステム情報を無線デバイスに送信するための、無線通信ネットワークのネットワークノードによって実施される方法が提供される。システム情報は、送信されているのがＳＳバーストセットのどのＳＳブロックかを示す時間インデックスを提供する情報と多重化される。本方法は、時間インデックスを提供する情報に基づいて生成されたスクランブリングシーケンスを使用してシステム情報をスクランブルすることと、無線デバイスに、ＳＳブロックの時間インデックスを提供する情報と多重化されたスクランブルされたシステム情報を送信することであって、誤り検出コードがシステム情報に関係する、スクランブルされたシステム情報を送信することとを含む。
【００２０】
他の態様によれば、添付の特許請求の範囲による無線デバイス、ネットワークノード、コンピュータプログラムおよびコンピュータプログラム製品が提供される。
【００２１】
概して、特許請求の範囲において使用されるすべての用語は、本明細書で別段明示的に規定されない限り、本技術分野におけるその通例の意味に従って解釈されるべきである。「１つの（ａ／ａｎ）／その（ｔｈｅ）エレメント、装置、構成要素、手段、ステップなど」へのすべての言及は、別段明示的に述べられていない限り、そのエレメント、装置、構成要素、手段、ステップなどの少なくとも１つの事例を指すようにオープンに解釈されるべきである。本明細書で開示されるいずれの方法のステップも、明示的に述べられていない限り、開示される厳密な順序で実施される必要はない。
【００２２】
添付の図面および特許請求の範囲とともに考慮されるとき、実施形態の他の目的、利点および特徴が、以下の発明を実施するための形態において説明される。
【００２３】
次に、添付の図面を参照しながら、例として、本発明が説明される。
【図面の簡単な説明】
【００２４】
【図１】本明細書で提示される実施形態が適用され得る環境を示す概略図である。
【図２ａ】ＮＲ−ＴＳＳを含むＳＳブロックの一例の概略図である。
【図２ｂ】ＳＳブロックおよびＳＳバーストセットを示す概略図である。
【図２ｃ】ＮＲ−ＰＢＣＨスクランブリングプロシージャのフローチャート、ならびに生じたスクランブルされたビットおよびシンボルの図である。
【図３】実施形態による、ネットワークノードにおける方法を示すフローチャートである。
【図４】実施形態による、無線デバイスにおける方法を示すフローチャートである。
【図５】実施形態による、ネットワークノードを概略的に示すブロック図である。
【図６】実施形態による、無線デバイスを概略的に示すブロック図である。
【発明を実施するための形態】
【００２５】
以下では、いくつかの実施形態および添付の図面を参照しながら、異なる態様がより詳細に説明される。異なる実施形態の完全な理解を提供するために、限定ではなく説明の目的で、特定のシナリオおよび技法など、詳細が記載される。ただし、これらの詳細から逸脱する他の実施形態も存在し得る。
【００２６】
さらに、いくつかの事例では、よく知られている方法、ノード、インターフェース、回路、およびデバイスの詳細な説明が、不要な詳細で説明を不明瞭にしないように省略される。説明される機能が１つのノードにおいてまたはいくつかのノードにおいて実装され得ることを、当業者は諒解されよう。説明される機能の一部または全部は、特殊な機能を実施するために相互接続されたアナログおよび／または個別論理ゲート、あるいはＡＳＩＣなど、ハードウェア回路要素を使用して実装され得る。同様に、機能の一部または全部は、１つまたは複数のデジタルマイクロプロセッサまたは汎用コンピュータとともにソフトウェアプログラムおよびデータを使用して実装され得る。エアインターフェースを使用して通信するノードが説明される場合、それらのノードは好適な無線通信回路要素をも有することが諒解されよう。その上、本技術は、本明細書で説明される技法をプロセッサに行わせるコンピュータ命令またはコンピュータプログラムコードの適切なセットを含んでいる、固体メモリ、磁気ディスクまたは光ディスクなどの非一時的実施形態を含む、任意の形態のコンピュータ可読メモリ内で完全に具現され得る。
【００２７】
本発明のハードウェア実装形態は、限定はしないが、デジタル信号プロセッサ（ＤＳＰ）ハードウェアと、縮小命令セットプロセッサと、限定はしないが、（１つまたは複数の）特定用途向け集積回路（ＡＳＩＣ）および／または（１つまたは複数の）フィールドプログラマブルゲートアレイ（ＦＰＧＡ）を含むハードウェア（たとえば、デジタルまたはアナログ）回路要素と、適切な場合、そのような機能を実施することが可能な状態機械とを含むかまたは包含し得る。
【００２８】
コンピュータ実装形態に関して、コンピュータは、概して、１つまたは複数のプロセッサ、または１つまたは複数のコントローラを備えると理解され、コンピュータ、プロセッサ、およびコントローラという用語は、互換的に採用され得る。コンピュータ、プロセッサ、またはコントローラによって提供されるとき、機能は、単一の専用コンピュータまたはプロセッサまたはコントローラによって、単一の共有コンピュータまたはプロセッサまたはコントローラによって、あるいはそのうちのいくつかが共有または分散され得る、複数の個々のコンピュータまたはプロセッサまたはコントローラによって提供され得る。その上、「プロセッサ」または「コントローラ」という用語は、上記で具陳された例示的なハードウェアなど、そのような機能を実施することおよび／またはソフトウェアを実行することが可能な他のハードウェアをも指す。
【００２９】
本明細書では、ユーザ機器（ＵＥ）、端末、および無線デバイスという用語が、ネットワークインフラストラクチャ、無線通信ネットワーク、または無線アクセスネットワークと通信するデバイスを表すために互換的に使用される。この用語は、任意の特定のタイプのデバイスを意味すると解釈されるべきではなく、すなわち、この用語は、それらすべてに適用され、本明細書で説明される実施形態は、説明されるような問題を解決するための関連するソリューションを使用するすべてのデバイスに適用可能である。無線デバイスは、３ＧＰＰ専門用語ではＵＥと呼ばれ、たとえば、セルラー電話、携帯情報端末、スマートフォン、ラップトップコンピュータ、ハンドヘルドコンピュータ、マシン型通信／マシンツーマシン通信（ＭＴＣ／Ｍ２Ｍ）デバイスあるいは無線通信能力をもつ他のデバイスまたは端末を含み得る。無線デバイスは、いくつかのマシンツーマシンアプリケーションにおいてなど、固定設定で設置される端末、ならびにポータブルデバイス、または自動車両に設置されるデバイスを指し得る。
【００３０】
同様に、ネットワークノードは、基地局（ＢＳ）と呼ばれることもある、ＵＥと通信するネットワークインフラストラクチャにおけるノードを表すものとする。無線アクセス技術に応じて、ｅＮＢおよびｇＮＢなど、異なる名前が適用可能であり得る。ネットワークノードの機能性が、様々なやり方で分散され得る。たとえば、無線プロトコルの一部を終端する無線ヘッドと、無線プロトコルの他の部分を終端する集中型ユニットとがあり得る。ネットワークノードという用語は、関連する発明を実装することができるすべての代替アーキテクチャを指し、そのような実装形態間の区別は行われない。
【００３１】
実施形態は、図１に示されているネットワークなど、ＮＲ無線通信ネットワークまたはシステムにおける例示的なシナリオに関して、非限定的な一般的なコンテキストで説明され、そこで、ｇＮＢ（ＢＳ２）がＳＳバーストセットのＳＳブロック中でＵＥ１にシステム情報を送り、ここで、ＳＳブロックは、ＮＲ−ＴＳＳ、すなわちＳＳブロックの時間インデックスを提供する情報を含む。時間インデックスを提供する情報は、ＣＲＣなど、誤り検出コードがアタッチされないことがある。ただし、ＳＳブロックの時間インデックスを提供する情報は、実施形態ではＮＲ−ＴＳＳ以外の別のタイプの信号に対応し得ること、および、それらの実施形態は、前に説明されたように、ＳＳバーストセット中の複数のＳＳブロックの送信を通してネットワーク同期を実装する任意の無線通信ネットワークに適用され得ることに、留意されたい。
【００３２】
ＳＳブロックの受信されたＮＲ−ＴＳＳ中の誤りに起因してもたらされる、システム情報を受信し、初期アクセスを実施するプロセスに関係する遅延の問題が、ＮＲ−ＴＳＳによって示されたまたは提供された時間インデックスによって生成されたスクランブルコードまたはシーケンスを用いる、ＮＲ−ＰＢＣＨのシステム情報のスクランブリングを含む方式を通して、受信されたＮＲ−ＴＳＳの正確さまたは信頼性が初期アクセスプロシージャにおいて早期に検査されることを可能にするソリューションによって対処される。
【００３３】
一実施形態では、スクランブリングは、たとえば擬似ランダムシーケンスとの、各ビットのエレメントごとの乗算によって、システム情報の符号化ビットに対して行われ、ここで、擬似ランダムシーケンスは、時間インデックスを提供する情報に基づいて生成される。擬似ランダムシーケンスはまた、随意に、単独でまたはＳＳブロック中で受信された何らかの他パラメータまたは値と組み合わせて、セルＩＤに基づいて生成され得る。
【００３４】
別の実施形態では、スクランブリングは、たとえば擬似ランダムシーケンスとの、ＮＲ−ＰＢＣＨのシステム情報の各４位相シフトキーイング（ＱＰＳＫ）シンボルのエレメントごとの乗算によって、変調シンボルレベルで行われ、ここで、擬似ランダムシーケンスは、上記で説明されたように生成され得る。
【００３５】
本発明の実施形態のいくつかの利点は、ＮＲ−ＴＳＳの誤った検出、したがって正しくない時間インデックス値により起こり得る遅延および不要な送信が回避され得ることである。
【００３６】
スクランブリングシーケンス生成
信号をスクランブルするために使用されるシーケンスは、例示的な一実施形態では、擬似ランダムシーケンスであり得、フレキシブルに選択され得る。一例として、ＬＴＥにおいて規定されているシーケンスを使用して、擬似ランダムシーケンスとして長さ３１Ｇｏｌｄシーケンスを規定すると、ｎ＝０，１，．．．，ＭＰＮ−１である、長さＭＰＮの出力シーケンスｃ（ｎ）は以下によって規定される。
ｃ（ｎ）＝（ｘ１（ｎ＋ＮＣ）＋ｘ２（ｎ＋ＮＣ））ｍｏｄ２
ｘ１（ｎ＋３１）＝（ｘ１（ｎ＋３）＋ｘ１（ｎ））ｍｏｄ２
ｘ２（ｎ＋３１）＝（ｘ２（ｎ＋３）＋ｘ２（ｎ＋２）＋ｘ２（ｎ＋１）＋ｘ２（ｎ））ｍｏｄ２
ここで、ＮＣ＝１６００である。第１のｍシーケンスは、ｘ１（０）＝１、ｘ１（ｎ）＝０、ｎ＝１，２，．．．，３０で初期化されるものとする。第２のｍシーケンスの初期化は、
0006832447.tif 000002
によって表され、その値は、このシーケンスの適用例に依存する。
【００３７】
システム情報送信などのＮＲ−ＰＢＣＨ送信では、スクランブリングシーケンスは、各ＳＳブロック、ＳＳバースト、またはＳＳバーストセットの開始時に初期化され得る。ｃｉｎｉｔに対応する初期化値は、ＮＲ−ＴＳＳから導出される時間インデックスに依存し、随意に、セルＩＤと、ＳＦＮなど、シーケンスを生成するために必要とされ得る他の値とにも依存する。たとえば、その値は以下に従って規定され得、
0006832447.tif 000003
ここで、ｎＳＳＢは、ＮＲ−ＴＳＳによって配信または提供されるべきＳＳブロック時間インデックスであり、
0006832447.tif 000004
は、同じＳＳブロック中でＮＲ−ＳＳＳおよびＮＲ−ＰＳＳによって配信されるセルＩＤである。ｘの値は、ＳＦＮなど、本発明の実施形態においてＮＲ−ＰＢＣＨ中で配信され得る他の情報と見なされ得る。
【００３８】
生成されたシーケンスを用いてＮＲ−ＰＢＣＨ情報をスクランブルすること
スクランブリングシーケンスが生成されると、ＮＲ−ＰＢＣＨによって搬送された情報のスクランブリングプロシージャが開始され得る。その情報のスクランブリングプロシージャは、図２ｃに示されているように、異なるレベルで行われ得る。図２ｃの左側のフローチャートは、このプロシージャを段階的に示しており、右側には、生じたビットまたはシンボルが示されている。プロシージャは、ＮＲ−ＰＢＣＨのシステム情報に対応する情報ビット２００から開始する。２４０において、ＣＲＣがアタッチされ、ＣＲＣアタッチメント２１０をもつ情報ビットを生じる。第１の実施形態では、ＣＲＣビットは、ステップ２４１に示されている、スクランブルされる唯一のものであり、生じたスクランブルされたＣＲＣビットが２１５に示されている。スクランブリングはこのレベルで行われ得、すなわち、ＮＲ−ＰＢＣＨトランスポートブロックのＣＲＣビットのみがスクランブルされる。そのような実施形態では、受信無線デバイスまたはＵＥは、スクランブルされたＣＲＣをもつＮＲ−ＰＢＣＨ情報を受信する。ＵＥはまた、ＵＥがＳＳブロック中で受信した時間インデックスに基づいてスクランブリングシーケンスを生成し、したがって、スクランブリングシーケンスを使用してＣＲＣビットをデスクランブルすることができる。デスクランブリングの後に、ＵＥは、ＮＲ−ＴＳＳによって提供された時間インデックスに従って受信されたＮＲ−ＰＢＣＨのシステム情報に対して、ＣＲＣ検査を実施し得る。ＣＲＣ検査が、誤って受信されたシステム情報を示す場合、これは、ＮＲ−ＴＳＳが正しく検出または受信されておらず、したがって正しくない時間インデックス値を提供したことに起因するか、または、ＮＲ−ＰＢＣＨ自体のシステム情報の受信が正しくないことに起因するかのいずれかであり得る。いずれの場合も、ＣＲＣ検査が誤りを示すとすぐに、初期アクセスの後続のプロシージャが中止され、したがって、不要な遅延を回避するであろう。その場合、正しいシステム情報を提供し得る新しいＳＳブロックが検出され得る。正しく受信されたシステム情報は、最終的に、完全な初期アクセスプロシージャを実施することを可能にするであろう。
【００３９】
第２の実施形態では、２４２におけるチャネルコーディングおよびレートマッチングが、アタッチされたＣＲＣビットをもつ情報ビットに対して実施される。アタッチされたＣＲＣビットは、上記で説明されたようにスクランブル２１５され得るが、アタッチされたＣＲＣビットはまた、スクランブル解除され得る。これは、符号化ビット２２０を生じる。２４３におけるビットレベルスクランブリングが、符号化ビット２２０に対して実施され、スクランブルされた符号化ビット２２５を生じ得る。この実施形態では、すべての符号化ビットが、ネットワークノードによって、スクランブリングシーケンスを使用してスクランブルされるであろう。ＮＲ−ＴＳＳによって提供された時間インデックスの誤った値に起因して、スクランブリングシーケンスが無線デバイスによって間違って生成された場合、受信側の無線デバイスのＣＲＣ検査がそれを示す。したがって、ＣＲＣビットのみがスクランブルされた前の例に類似して、無線デバイスは、時間インデックスを提供するＮＲ−ＴＳＳが正しくないことまたはシステム情報が正しくないことのいずれかを推定し得る。
【００４０】
符号化ビットがスクランブルされたか否かにかかわらず、符号化ビットは２４４における変調を経て、したがって、変調されたシンボル２３０を生じ得る。第３の実施形態では、変調されたシンボルは、２４５におけるシンボルレベルスクランブリングを経て、スクランブルされた変調されたシンボル２３５を生じ得る。この実施形態では、受信無線デバイスによって実施される、ＮＲ−ＰＢＣＨシステム情報について検査するＣＲＣが、受信された時間インデックスが正確か否かを示すであろう。上記のように、異なるレベルでのスクランブリングをカバーする第１、第２、および第３の実施形態は、任意のやり方で組み合わせられるか、または、互いとは無関係に実装され得る。それらすべてについて共通するのは、ＮＲ−ＴＳＳから提供される時間インデックスは、その時間インデックスが、スクランブリングシーケンスを生成するために使用されるので、スクランブリングプロシージャの各々に関与することである。同じまたは異なるスクランブリングシーケンスが、異なるレベルでのスクランブリングのために使用され得る。
【００４１】
図３〜図４および図７を参照しながら説明される方法の実施形態
図７は、ＮＲシステムの、ＵＥおよびｇＮＢなど、ＵＥまたは無線デバイス６００およびＢＳまたはネットワークノード５００において実施される方法の実施形態を概略的に示す、シグナリング図である。ＢＳ５００は、ＳＳバーストセット中のＳＳブロックをセル中でブロードキャストする。背景技術のセクションで説明されたように、ビームスイーピングが使用されるとき、ＳＳバーストセットの各ＳＳブロックは、図２ｂに示されているように、無線フレームのそれぞれの時間インスタンスにおいて、それぞれのビーム中で送信される。したがって、セル中のあるＵＥが、時間インデックスを提供する情報と多重化されたシステム情報を搬送するＮＲ−ＰＳＳ、ＮＲ−ＳＳＳ、およびＮＲ−ＰＢＣＨを含むＳＳブロックのうちの少なくとも１つを受信する。時間インデックスは、受信されているのがＳＳバーストセットのどのＳＳブロックかを示す。この情報は、ＵＥがネットワークに同期することが可能であるために、必要とされる。時間インデックスを提供する情報に基づいて、ネットワークノードは、前に説明されたように、スクランブリングシーケンスを生成すること３１０を行い、システム情報ビットをスクランブルすること３２０を行う。次いで、ネットワークノードは、時間インデックスを提供する情報と多重化されたスクランブルされたシステム情報を含むＳＳブロックを送信すること３３０を行う。ＵＥは、時間インデックスを提供する情報を含むＳＳブロックを受信すること４１０を行い、時間インデックスを提供する情報に基づいて、スクランブリングシーケンスを生成すること４２０を行う。スクランブリングシーケンスは、システム情報を受信すること４３０およびデスクランブルすることを行うために使用される。次いで、システム情報にアタッチされた誤り検出コードを使用して、ＵＥは、時間インデックスを提供する情報の正確さを決定すること４４０を行うことができる。ＵＥは、誤り検出コードが、誤って受信されたシステム情報を示す場合、時間インデックスを提供する情報が不正確であると仮定し得る。
【００４２】
図３は、少なくとも１つの同期信号（ＳＳ）ブロックを含むＳＳバーストセットのＳＳブロック中でシステム情報を無線デバイスに送信するための、無線通信ネットワークのネットワークノードによって実施される方法の一実施形態を示す、フローチャートである。一実施形態では、無線デバイスはＵＥであり、ネットワークノードはｇノードＢである。システム情報は、送信されているのがＳＳバーストセットのどのＳＳブロックかを示す時間インデックスを提供する情報と多重化される。時間インデックスを提供する情報は、関係するいかなる誤り検出コードもなしに送信され得る。方法は、以下を含む。
−  ３２０：時間インデックスを提供する情報に基づいて生成された３１０スクランブリングシーケンスを使用してシステム情報をスクランブルすること。実施形態では、システム情報をスクランブルすることは、上記で説明されたように、システム情報の符号化ビットをスクランブルすることを含む。ただし、スクランブルすることは、異なるレベルで実施され得る。したがって、システム情報をスクランブルすることは、システム情報に関係する誤り検出コードビットをスクランブルすることと、システム情報の符号化ビットをスクランブルすることと、システム情報の変調されたシンボルをスクランブルすることとのうちの少なくとも１つを含み得る。スクランブリングシーケンスを生成すること３１０は、ＳＳブロックの開始時にスクランブリングシーケンスを初期化することを含み得る。さらに、スクランブリングシーケンスは、ＳＳブロックに関係するセル、すなわちＳＳブロックがブロードキャストされるセルの識別情報（セルＩＤ）に基づいて生成される擬似ランダムシーケンスであり得る。他の例示的な実施形態では、スクランブリングシーケンスは、初期化値が時間インデックスに依存する擬似ランダムシーケンスであり得る。初期化値は、セルＩＤまたはＳＦＮなど、ＳＳブロックによって搬送された情報によって提供されるさらなるパラメータに依存し得る。
−  ３３０：無線デバイスに、ＳＳブロックの時間インデックスを提供する情報と多重化されたスクランブルされたシステム情報を送信することであって、誤り検出コードがシステム情報に関係する、スクランブルされたシステム情報を送信すること。誤り検出コードは、システム情報に対応する情報ビットに対する巡回冗長検査（ＣＲＣ）アタッチメントであり得る。
【００４３】
実施形態では、ＳＳブロックは時間次元において一定のサイズを有し、この間に、同期信号（たとえばＮＲ−ＰＳＳおよびＮＲ−ＳＳＳ）、時間インデックスを提供する情報（一実施形態では、ＳＳブロック中のＮＲ−ＴＳＳ）、および（ＮＲ−ＰＢＣＨ中の）システム情報が送信される。
【００４４】
図４は、無線通信システムのネットワークノードからシステム情報を受信するための、無線デバイスによって実施される方法であって、システム情報が、少なくとも１つのＳＳブロックを含むＳＳバーストセットのＳＳブロック中で受信される、方法の一実施形態を示すフローチャートである。一実施形態では、無線デバイスはＵＥであり、ネットワークノードはｇノードＢである。システム情報は、受信されているのがＳＳバーストセットのどのＳＳブロックかを示す時間インデックスを提供する情報と多重化される。時間インデックスを提供する情報は、関係するいかなる誤り検出コードもなしに送信され得る。方法は、以下を含む。
−  ４１０：時間インデックスを提供する情報を受信すること。
−  ４３０：システム情報を受信することであって、時間インデックスを提供する情報に基づいて生成された４２０スクランブリングシーケンスを使用してシステム情報をデスクランブルすることを含む、システム情報を受信すること。システム情報をデスクランブルすることは、システム情報の符号化ビットをデスクランブルすることを含み得る。ただし、受信されたシステム情報をデスクランブルすることは、上記で説明されたように、システム情報に関係する誤り検出コードのビットをデスクランブルすることと、システム情報の符号化ビットをデスクランブルすることと、システム情報の変調されたシンボルをデスクランブルすることとのうちの少なくとも１つを含み得る。スクランブリングシーケンスを生成すること４２０は、ＳＳブロックの開始時にスクランブリングシーケンスを初期化することを含み得る。スクランブリングシーケンスは、ＳＳブロックに関係するセルの識別情報（セルＩＤ）に基づいて生成される擬似ランダムシーケンスであり得る。実施形態では、スクランブリングシーケンスは、初期化値が時間インデックスに依存する擬似ランダムシーケンスであり得る。さらに、初期化値は、ＳＳブロックによって搬送された情報によって提供されるさらなるパラメータに依存し得る。
−  ４４０：受信されたシステム情報に関係する誤り検出コードに基づいて、時間インデックスを提供する情報の正確さを決定すること。
【００４５】
実施形態では、誤り検出コードは、受信されたシステム情報に対応する情報ビットに対するＣＲＣアタッチメントであり得る。これらの実施形態では、時間インデックスを提供する情報の正確さを決定すること４４０は、
−  ＣＲＣアタッチメントに基づいて、受信されたシステム情報のＣＲＣを実施することと、
−  実施されたＣＲＣが、誤って受信されたシステム情報を示すとき、時間インデックスを提供する情報が不正確であると決定することと、
−  実施されたＣＲＣが、正しく受信されたシステム情報を示すとき、時間インデックスを提供する情報が正確であると決定することと
を含み得る。
【００４６】
方法は、時間インデックスを提供する情報の決定された正確さに基づいて、どのように初期アクセスプロシージャを実施すべきかを決定すること４５０をさらに含み得る。どのように初期アクセスプロシージャを実施すべきかを決定すること４５０は、
−  時間インデックスを提供する情報が正確であると決定されたとき、受信されたシステム情報に基づいて初期アクセスプロシージャを完了することと、
−  時間インデックスを提供する情報が不正確であると決定されたとき、初期アクセスプロシージャを完了する前に、システム情報および時間インデックスの受信のための別のＳＳブロックを検出することと
をさらに含み得る。
【００４７】
実施形態では、方法は、ＳＳブロック中の情報に基づいて、ネットワークノードとの同期を獲得することをさらに含む。
【００４８】
方法は、時間インデックスを提供する情報を使用して、どこにＳＳバーストセットの境界があるか、またはどこでＳＳバーストセットが開始するかを決定することをさらに含み得る。
【００４９】
実施形態では、システム情報は、時間インデックスによって示されたＳＳバーストセットの境界に基づいて受信される。
【００５０】
実施形態では、ＳＳブロックは時間次元において一定のサイズを有し、この間に、同期信号（たとえばＮＲ−ＰＳＳおよびＮＲ−ＳＳＳ）、時間インデックスを提供する情報（一実施形態では、ＳＳブロック中のＮＲ−ＴＳＳ）、および（ＮＲ−ＰＢＣＨ中の）システム情報が送信される。
【００５１】
図５〜図６を参照しながら説明される装置の実施形態
少なくとも１つの同期信号（ＳＳ）ブロックを含むＳＳバーストセットのＳＳブロック中でシステム情報を無線デバイスに送信することを行うように設定された、無線通信ネットワークのネットワークノード５００の一実施形態が、図５のブロック図に示されている。実施形態では、ネットワークノードはｇノードＢである。システム情報は、送信されているのがＳＳバーストセットのどのＳＳブロックかを示す時間インデックスを提供する情報と多重化される。ネットワークノードは、時間インデックスを提供する情報に基づいて生成されたスクランブリングシーケンスを使用してシステム情報をスクランブルすることと、無線デバイスに、ＳＳブロックの時間インデックスを提供する情報と多重化されたスクランブルされたシステム情報を送信することであって、誤り検出コードがシステム情報に関係する、スクランブルされたシステム情報を送信することとを行うようにさらに設定される。
【００５２】
実施形態では、ネットワークノードは、システム情報の符号化ビットをスクランブルすることによって、システム情報をスクランブルすることを行うようにさらに設定される。誤り検出コードは、システム情報に対応する情報ビットに対する巡回冗長検査（ＣＲＣ）アタッチメントであり得る。
【００５３】
ネットワークノードは、関係するいかなる誤り検出コードもなしに、時間インデックスを提供する情報を送信することを行うように設定され得る。ネットワークノードは、ＳＳブロックの開始時にスクランブリングシーケンスを初期化することによって、スクランブリングシーケンスを生成することを行うようにさらに設定され得る。実施形態では、スクランブリングシーケンスは擬似ランダムシーケンスであり、ネットワークノードは、ＳＳブロックに関係するセルの識別情報（セルＩＤ）に基づいて、擬似ランダムシーケンスを生成することを行うようにさらに設定され得る。
【００５４】
図５に示されているように、ネットワークノード５００は、少なくとも１つの処理回路要素５１０を備え、随意にメモリ５３０をも備え得る。実施形態では、メモリ５３０は、何らかの他のノードまたはユニット中に、あるいは少なくともネットワークノードとは別々に配置され得る。ネットワークノードは、無線デバイスまたは別のネットワークノードと通信することを行うように設定された１つまたは複数の入力／出力（Ｉ／Ｏ）ユニット５２０をも備え得る。入力／出力（Ｉ／Ｏ）ユニット５２０は、実施形態では、ネットワークにおける無線デバイスとの無線通信のためにアンテナポートを介して１つまたは複数のアンテナに接続されたトランシーバ、および／または様々なインターフェースを介して他のネットワークノードとの通信のために適応されたインターフェース回路要素を備え得る。メモリ５３０は、前記少なくとも１つの処理回路要素５１０によって実行可能な命令を含んでいることがあり、それにより、ネットワークノードは、たとえば図３を参照しながら本明細書で説明された方法を実施することを行うように設定され得る。
【００５５】
図５に示されている別の実施形態でも、ネットワークノードは、図３に示されている方法ステップをそれぞれ実施するように適応された、生成モジュール５１１と、スクランブリングモジュール５１２と、送信モジュール５１３とを備え得る。
【００５６】
ネットワークノードは、本明細書で前に説明された方法のいずれかを実施するように適応されたさらなるモジュールを含んでいることがある。
【００５７】
上記で説明されたモジュールは、ハードウェア、ソフトウェア、ファームウェアまたはそれらの任意の組合せで実装され得る機能ユニットである。一実施形態では、モジュールは、少なくとも１つの処理回路要素５１０上で動作するコンピュータプログラムとして実装される。
【００５８】
図５中の実施形態をさらに別の代替の形で説明すると、ネットワークノードは、単一のユニットまたは複数のユニットであり得る中央処理ユニット（ＣＰＵ）を備え得る。さらに、ネットワークノードは、たとえば不揮発性メモリ、たとえばＥＥＰＲＯＭ（電気的消去可能プログラマブル読取り専用メモリ）、フラッシュメモリまたはディスクドライブの形態の、コンピュータ可読媒体５４１をもつ少なくとも１つのコンピュータプログラム製品（ＣＰＰ）を備え得る。ＣＰＰは、コンピュータ可読媒体５４１に記憶されたコンピュータプログラム５４０を備え得、これは、ネットワークノードのＣＰＵ上で動作されたとき、ネットワークノードに、図３とともに以前に説明された方法を実施させる、コード手段を備える。言い換えれば、前記コード手段がＣＰＵ上で動作されたとき、前記コード手段は、図５中のネットワークノードの少なくとも１つの処理回路要素５１０に対応する。
【００５９】
無線デバイス６００の一実施形態が、図６のブロック図に概略的に示されている。無線デバイス６００は、無線通信システムのネットワークノードからシステム情報を受信することを行うように設定され、システム情報は、少なくとも１つの同期信号（ＳＳ）ブロックを含むＳＳバーストセットのＳＳブロック中で受信される。実施形態では、無線デバイスはＵＥである。システム情報は、受信されているのがＳＳバーストセットのどのＳＳブロックかを示す時間インデックスを提供する情報と多重化される。無線デバイスは、時間インデックスを提供する情報を受信することと、時間インデックスを提供する情報に基づいて生成されたスクランブリングシーケンスを使用してシステム情報をデスクランブルすることによってシステム情報を受信することと、受信されたシステム情報に関係する誤り検出コードに基づいて、時間インデックスを提供する情報の正確さを決定することとを行うようにさらに設定される。
【００６０】
実施形態では、誤り検出コードは、受信されたシステム情報に対応する情報ビットに対する巡回冗長検査（ＣＲＣ）アタッチメントであり、無線デバイスは、
−  ＣＲＣアタッチメントに基づいて、受信されたシステム情報のＣＲＣを実施することと、
−  実施されたＣＲＣが、誤って受信されたシステム情報を示すとき、時間インデックスを提供する情報が不正確であると決定することと、
−  実施されたＣＲＣが、正しく受信されたシステム情報を示すとき、時間インデックスを提供する情報が正確であると決定することと
を行うことによって、時間インデックスを提供する情報の正確さを決定することを行うようにさらに設定される。
【００６１】
無線デバイスは、時間インデックスを提供する情報の決定された正確さに基づいて、どのように初期アクセスプロシージャを実施すべきかを決定することを行うようにさらに設定され得る。
【００６２】
実施形態では、無線デバイスは、
−  時間インデックスを提供する情報が正確であると決定されたとき、受信されたシステム情報に基づいて初期アクセスプロシージャを完了することと、
−  時間インデックスを提供する情報が不正確であると決定されたとき、初期アクセスプロシージャを完了する前に、システム情報および時間インデックスの受信のための別のＳＳブロックを検出することと
を行うことによって、どのように初期アクセスプロシージャを実施すべきかを決定することを行うようにさらに設定される。
【００６３】
実施形態では、無線デバイスは、ＳＳブロック中の情報に基づいて、ネットワークノードとの同期を獲得することを行うようにさらに設定される。
【００６４】
無線デバイスは、システム情報の符号化ビットをデスクランブルすることによって、システム情報をデスクランブルすることを行うようにさらに設定され得る。
【００６５】
無線デバイスは、関係するいかなる誤り検出コードもなしに、時間インデックスを提供する情報を受信することを行うようにさらに設定され得る。
【００６６】
実施形態では、無線デバイスは、ＳＳブロックの開始時にスクランブリングシーケンスを初期化することによって、スクランブリングシーケンスを生成することを行うようにさらに設定される。
【００６７】
無線デバイスは、時間インデックスを提供する情報を使用して、どこにＳＳバーストセットの境界があるか、またはどこでＳＳバーストセットが開始するかを決定することを行うようにさらに設定され得る。
【００６８】
無線デバイスは、時間インデックスによって示されたＳＳバーストセットの境界に基づいてシステム情報を受信することを行うようにさらに設定され得る。
【００６９】
実施形態では、スクランブリングシーケンスは擬似ランダムシーケンスであり、無線デバイスは、ＳＳブロックに関係するセルの識別情報（セルＩＤ）に基づいて、擬似ランダムシーケンスを生成することを行うように設定される。
【００７０】
図６に示されているように、無線デバイス６００は、少なくとも１つの処理回路要素６１０を備え、随意にメモリ６３０をも備え得る。実施形態では、メモリ６３０は、何らかの他のノードまたはユニット中に、あるいは少なくとも無線デバイス６００とは別々に配置され得る。無線デバイス６００は、ｇノードＢなどのネットワークノードと通信することを行うように設定された１つまたは複数の入力／出力（Ｉ／Ｏ）ユニット６２０をも備え得る。入力／出力（Ｉ／Ｏ）ユニット６２０は、実施形態では、ネットワークにおけるネットワークノードとの無線通信のためにアンテナポートを介して１つまたは複数のアンテナに接続されたトランシーバを備え得る。メモリ６３０は、前記少なくとも１つの処理回路要素６１０によって実行可能な命令を含んでいることがあり、それにより、無線デバイス６００は、たとえば図４を参照しながら本明細書で前に説明された方法のいずれかを実施することを行うように設定され得る。
【００７１】
図６に示されている別の実施形態でも、無線デバイス６００は、図４の方法ステップをそれぞれ実施するように適応された、第１の受信モジュール６１１と、生成モジュール６１２と、第２の受信モジュール６１３と、決定モジュール６１４とを備え得る。
【００７２】
無線デバイス６００は、本明細書で前に説明された方法のいずれかを実施するように適応されたさらなるモジュールを含んでいることがある。上記で説明されたモジュールは、ハードウェア、ソフトウェア、ファームウェアまたはそれらの任意の組合せで実装され得る機能ユニットである。一実施形態では、モジュールは、少なくとも１つの処理回路要素６１０上で動作するコンピュータプログラムとして実装される。
【００７３】
図６の実施形態をさらに別の代替の形で説明すると、無線デバイス６００は、単一のユニットまたは複数のユニットであり得る中央処理ユニット（ＣＰＵ）を備え得る。さらに、無線デバイス６００は、たとえば不揮発性メモリ、たとえばＥＥＰＲＯＭ（電気的消去可能プログラマブル読取り専用メモリ）、フラッシュメモリまたはディスクドライブの形態の、コンピュータ可読媒体６４１をもつ少なくとも１つのコンピュータプログラム製品（ＣＰＰ）を備え得る。ＣＰＰは、コンピュータ可読媒体６４１に記憶されたコンピュータプログラム６４０を備え得、これは、無線デバイス６００のＣＰＵ上で動作されたとき、無線デバイス６００に、図４とともに以前に説明された方法を実施させる、コード手段を備える。言い換えれば、前記コード手段がＣＰＵ上で動作されたとき、前記コード手段は、図６中の無線デバイス６００の少なくとも１つの処理回路要素６１０に対応する。
【００７４】
本発明は、主に数個の実施形態を参照しながら上記で説明された。しかしながら、当業者によって直ちに諒解されるように、上記で開示された実施形態以外の実施形態が、添付の特許請求の範囲によって規定される本発明の範囲内で等しく可能である。
【００７５】
さらなる例示的な実施形態のリスト
Ｅ１．  少なくとも１つの同期信号（ＳＳ）ブロックを含むＳＳバーストのＳＳブロック中でシステム情報を無線デバイスに送信するための、無線通信ネットワークのネットワークノードによって実施される方法であって、システム情報が、ＳＳバーストの境界またはＳＳバーストのセットの境界を示す時間インデックスを提供する情報と多重化され、方法は、
−  時間インデックスを提供する情報に基づいてスクランブリングシーケンスを生成すること（３１０）と、
−  生成されたスクランブリングシーケンスを使用してシステム情報をスクランブルすること（３２０）と、
−  無線デバイスに、ＳＳブロック中の時間インデックスを提供する情報と多重化されたスクランブルされたシステム情報を送信すること（３３０）と
を含む、方法。
【００７６】
Ｅ２．  システム情報をスクランブルすること（３２０）が、
−  システム情報に関係する誤り検出コードビットをスクランブルすることと、
−  システム情報の符号化ビットをスクランブルすることと、
−  システム情報の変調されたシンボルをスクランブルすることと
のうちの少なくとも１つを含む、実施形態Ｅ１に記載の方法。
【００７７】
Ｅ３．  時間インデックスを提供する情報が、いかなる誤り検出コードもなしに送信される、実施形態Ｅ１またはＥ２に記載の方法。
【００７８】
Ｅ４．  スクランブリングシーケンスは、初期化値が時間インデックスに依存する擬似ランダムシーケンスである、実施形態Ｅ１からＥ３のいずれか１つに記載の方法。
【００７９】
Ｅ５．  初期化値が、ＳＳブロックによって搬送された情報によって提供されるさらなるパラメータに依存する、実施形態Ｅ４に記載の方法。
【００８０】
Ｅ６．  無線通信システムのネットワークノードからシステム情報を受信するための、無線デバイスによって実施される方法であって、システム情報が、少なくとも１つの同期信号（ＳＳ）ブロックを含むＳＳバーストのＳＳブロック中で受信され、システム情報が、ＳＳバーストの境界またはＳＳバーストのセットの境界を示す時間インデックスを提供する情報と多重化され、方法は、
−  時間インデックスを提供する情報を受信すること（４１０）と、
−  時間インデックスを提供する情報に基づいてスクランブリングシーケンスを生成すること（４２０）と、
−  時間インデックスによって示された、ＳＳバーストの境界またはＳＳバーストのセットの境界に基づいてシステム情報を受信すること（４３０）であって、生成されたスクランブリングシーケンスを使用して、受信されたシステム情報をデスクランブルすることを含む、システム情報を受信すること（４３０）と、
−  システム情報に関係する誤り検出コードに基づいて、時間インデックスを提供する情報の正確さを決定すること（４４０）と
を含む、方法。
【００８１】
Ｅ７．
−  時間インデックスを提供する情報が正確であると決定されたとき、受信されたシステム情報に基づいて初期アクセスプロシージャを始動することと、
−  時間インデックスを提供する情報が不正確であると決定されたとき、システム情報の受信のための別のＳＳブロックを検出することと
をさらに含む、実施形態Ｅ６に記載の方法。
【００８２】
Ｅ８．  受信されたシステム情報をデスクランブルすることが、
−  システム情報に関係する誤り検出コードのビットをデスクランブルすることと、
−  システム情報の符号化ビットをデスクランブルすることと、
−  システム情報の変調されたシンボルをデスクランブルすることと
のうちの少なくとも１つを含む、実施形態Ｅ６またはＥ７に記載の方法。
【００８３】
Ｅ９．  時間インデックスを提供する情報が、いかなる誤り検出コードもなしに受信される、実施形態Ｅ６からＥ８のいずれか１つに記載の方法。
【００８４】
Ｅ１０．  スクランブリングシーケンスは、初期化値が時間インデックスに依存する擬似ランダムシーケンスである、実施形態Ｅ６からＥ９のいずれか１つに記載の方法。
【００８５】
Ｅ１１．  初期化値が、ＳＳブロックによって搬送された情報によって提供されるさらなるパラメータに依存する、実施形態Ｅ１０に記載の方法。
【００８６】
Ｅ１２．  少なくとも１つの同期信号（ＳＳ）ブロックを含むＳＳバーストのＳＳブロック中でシステム情報を無線デバイスに送信することを行うように設定された、無線通信ネットワークのネットワークノード（５００）であって、システム情報が、ＳＳバーストの境界またはＳＳバーストのセットの境界を示す時間インデックスを提供する情報と多重化され、ネットワークノードは、
−  時間インデックスを提供する情報に基づいてスクランブリングシーケンスを生成することと、
−  生成されたスクランブリングシーケンスを使用してシステム情報をスクランブルすることと、
−  無線デバイスに、ＳＳブロック中の時間インデックスを提供する情報と多重化されたスクランブルされたシステム情報を送信することと
を行うようにさらに設定された、ネットワークノード（５００）。
【００８７】
Ｅ１３．
−  システム情報に関係する誤り検出コードビットをスクランブルすることと、
−  システム情報の符号化ビットをスクランブルすることと、
−  システム情報の変調されたシンボルをスクランブルすることと
のうちの少なくとも１つのやり方で、システム情報をスクランブルすることを行うように設定された、実施形態Ｅ１２に記載のネットワークノード。
【００８８】
Ｅ１４．  時間インデックスを提供する情報が、いかなる誤り検出コードもなしに送信される、実施形態Ｅ１２またはＥ１３に記載のネットワークノード。
【００８９】
Ｅ１５．  スクランブリングシーケンスは、初期化値が時間インデックスに依存する擬似ランダムシーケンスである、実施形態Ｅ１２からＥ１４のいずれか１つに記載のネットワークノード。
【００９０】
Ｅ１６．  初期化値が、ＳＳブロックによって搬送された情報によって提供されるさらなるパラメータに依存する、実施形態Ｅ１５に記載のネットワークノード。
【００９１】
Ｅ１７．  無線通信システムのネットワークノードからシステム情報を受信することを行うように設定された無線デバイス（６００）であって、システム情報が、少なくとも１つの同期信号（ＳＳ）ブロックを含むＳＳバーストのＳＳブロック中で受信され、システム情報が、ＳＳバーストの境界またはＳＳバーストのセットの境界を示す時間インデックスを提供する情報と多重化され、無線デバイスは、
−  時間インデックスを提供する情報を受信することと、
−  時間インデックスを提供する情報に基づいてスクランブリングシーケンスを生成することと、
−  時間インデックスによって示された、ＳＳバーストの境界またはＳＳバーストのセットの境界に基づいてシステム情報を受信することであって、生成されたスクランブリングシーケンスを使用して、受信されたシステム情報をデスクランブルすることを含む、システム情報を受信することと、
−  システム情報に関係する誤り検出コードに基づいて、時間インデックスを提供する情報の正確さを決定することと
を行うようにさらに設定された、無線デバイス（６００）。
【００９２】
Ｅ１８．
−  時間インデックスを提供する情報が正確であると決定されたとき、受信されたシステム情報に基づいて初期アクセスプロシージャを始動することと、
−  時間インデックスを提供する情報が不正確であると決定されたとき、システム情報の受信のための別のＳＳブロックを検出することと
を行うようにさらに設定された、実施形態Ｅ１７に記載の無線デバイス。
【００９３】
Ｅ１９．
−  システム情報に関係する誤り検出コードのビットをデスクランブルすることと、
−  システム情報の符号化ビットをデスクランブルすることと、
−  システム情報の変調されたシンボルをデスクランブルすることと
のうちの少なくとも１つのやり方で、受信されたシステム情報をデスクランブルすることを行うようにさらに設定された、実施形態Ｅ１７またはＥ１８に記載の無線デバイス。
【００９４】
Ｅ２０．  時間インデックスを提供する情報が、いかなる誤り検出コードもなしに受信される、実施形態Ｅ１７からＥ１９のいずれか１つに記載の無線デバイス。
【００９５】
Ｅ２１．  スクランブリングシーケンスは、初期化値が時間インデックスに依存する擬似ランダムシーケンスである、実施形態Ｅ１７からＥ２０のいずれか１つに記載の無線デバイス。
【００９６】
Ｅ２２．  初期化値が、ＳＳブロックによって搬送された情報によって提供されるさらなるパラメータに依存する、実施形態Ｅ２１に記載の無線デバイス。
【００９７】
Ｅ２３．  少なくとも１つの同期信号（ＳＳ）ブロックを含むＳＳバーストのＳＳブロック中でシステム情報を無線デバイスに送信することを行うように設定された、無線通信ネットワークのネットワークノード（５００）であって、システム情報が、ＳＳバーストの境界またはＳＳバーストのセットの境界を示す時間インデックスを提供する情報と多重化され、ネットワークノードが、処理回路要素（５１０）とメモリ（５３０）とを備え、メモリが、処理回路要素によって実行可能な命令を備え、それにより、ネットワークノードは、
−  時間インデックスを提供する情報に基づいてスクランブリングシーケンスを生成することと、
−  生成されたスクランブリングシーケンスを使用してシステム情報をスクランブルすることと、
−  無線デバイスに、ＳＳブロック中の時間インデックスを提供する情報と多重化されたスクランブルされたシステム情報を送信することと
を行うように設定された、ネットワークノード（５００）。
【００９８】
Ｅ２４．  メモリが、処理回路要素によって実行可能な命令を含んでおり、それにより、ネットワークノードが、実施形態Ｅ２からＥ５のいずれか１つに記載の方法を実施することを行うように設定された、実施形態Ｅ２３に記載のネットワークノード。
【００９９】
Ｅ２５．  無線通信システムのネットワークノードからシステム情報を受信することを行うように設定された無線デバイス（６００）であって、システム情報が、少なくとも１つの同期信号（ＳＳ）ブロックを含むＳＳバーストのＳＳブロック中で受信され、システム情報が、ＳＳバーストの境界またはＳＳバーストのセットの境界を示す時間インデックスを提供する情報と多重化され、無線デバイスが、処理回路要素（６１０）とメモリ（６３０）とを備え、メモリが、処理回路要素によって実行可能な命令を含んでおり、それにより、無線デバイスは、
−  時間インデックスを提供する情報を受信することと、
−  時間インデックスを提供する情報に基づいてスクランブリングシーケンスを生成することと、
−  時間インデックスによって示された、ＳＳバーストの境界またはＳＳバーストのセットの境界に基づいてシステム情報を受信することであって、生成されたスクランブリングシーケンスを使用して、受信されたシステム情報をデスクランブルすることを含む、システム情報を受信することと、
−  システム情報に関係する誤り検出コードに基づいて、時間インデックスを提供する情報の正確さを決定することと
を行うように設定された、無線デバイス（６００）。
【０１００】
Ｅ２６．  メモリが、処理回路要素によって実行可能な命令を含んでおり、それにより、無線デバイスが、実施形態Ｅ７からＥ１１のいずれか１つに記載の方法を実施することを行うように設定された、実施形態Ｅ２５に記載の無線デバイス。
【０１０１】
Ｅ２７．  少なくとも１つの同期信号（ＳＳ）ブロックを含むＳＳバーストのＳＳブロック中でシステム情報を無線デバイスに送信することを行うように設定された、無線通信ネットワークのネットワークノード（５００）であって、システム情報が、ＳＳバーストの境界またはＳＳバーストのセットの境界を示す時間インデックスを提供する情報と多重化され、ネットワークノードは、
−  時間インデックスを提供する情報に基づいてスクランブリングシーケンスを生成するように適応された生成モジュール（５１１）と、
−  生成されたスクランブリングシーケンスを使用してシステム情報をスクランブルするように適応されたスクランブリングモジュール（５１２）と、
−  無線デバイスに、ＳＳブロック中の時間インデックスを提供する情報と多重化されたスクランブルされたシステム情報を送信するように適応された送信モジュール（５１３）と
を備える、ネットワークノード（５００）。
【０１０２】
Ｅ２８．  実施形態Ｅ２からＥ５のいずれか１つに記載の方法を実施するように適応されたモジュールをさらに備える、実施形態Ｅ２７に記載のネットワークノード。
【０１０３】
Ｅ２９．  無線通信システムのネットワークノードからシステム情報を受信することを行うように設定された無線デバイス（６００）であって、システム情報が、少なくとも１つの同期信号（ＳＳ）ブロックを含むＳＳバーストのＳＳブロック中で受信され、システム情報が、ＳＳバーストの境界またはＳＳバーストのセットの境界を示す時間インデックスを提供する情報と多重化され、無線デバイスは、
−  時間インデックスを提供する情報を受信するように適応された第１の受信モジュール（６１１）と、
−  時間インデックスを提供する情報に基づいてスクランブリングシーケンスを生成するように適応された生成モジュール（６１２）と、
−  時間インデックスによって示された、ＳＳバーストの境界またはＳＳバーストのセットの境界に基づいてシステム情報を受信することであって、生成されたスクランブリングシーケンスを使用して、受信されたシステム情報をデスクランブルすることを含む、システム情報を受信することを行うように適応された第２の受信モジュール（６１３）と、
−  システム情報に関係する誤り検出コードに基づいて、時間インデックスを提供する情報の正確さを決定するように適応された決定モジュール（６１４）と
を備える、無線デバイス（６００）。
【０１０４】
Ｅ３０．  実施形態Ｅ７からＥ１１のいずれか１つに記載の方法を実施するように適応されたモジュールをさらに備える、実施形態Ｅ２９に記載の無線デバイス。
【０１０５】
Ｅ３１．  ネットワークノードの少なくとも１つのプロセッサによって実行されたとき、ネットワークノードに実施形態Ｅ１からＥ５のいずれか１つに記載の方法を行わせる命令を備える、コンピュータプログラム。
【０１０６】
Ｅ３２．    無線デバイスの少なくとも１つのプロセッサによって実行されたとき、無線デバイスに実施形態Ｅ６からＥ１１のいずれか１つに記載の方法を行わせる命令を備える、コンピュータプログラム。
【０１０７】
Ｅ３３．  実施形態Ｅ３１またはＥ３２に記載のコンピュータプログラムを含んでいるキャリアであって、電子信号、光信号、無線信号、またはコンピュータ可読記憶媒体のうちの１つである、キャリア。
【図１】
0006832447.tif 000005
【図２ａ】
0006832447.tif 000006
【図２ｂ】
0006832447.tif 000007
【図２ｃ】
0006832447.tif 000008
【図３】
0006832447.tif 000009
【図４】
0006832447.tif 000010
【図５】
0006832447.tif 000011
【図６】
0006832447.tif 000012
【図７】
0006832447.tif 000013